(57)【要約】【課題】一定範囲の回動操作によってボルトの締め付け作業を行うラチェットレンチにおいて、一つのもので任意サイズのボルトの締め付け作業を能率的に行うことができるものを提供する。【解決手段】ハンドル１の先端部分に切り替え可能な状態で一方向に回転させることができるボックス２を備えたラチェットレンチにおいて、ボックス２の一端に補助ボックス３を挿入し、ボックス２の他端から挿入した係止部材４と係合させて、補助ボックス３をボックス２に保持させる。そして、補助ボックス３もしくは係止部材４は、ボックス２に対して遊回動しない状態に嵌合させる。これにより、ボルト頭を補助ボックス３に嵌合させた状態で締め付け作業を行う。係止部材４は、補助ボックスとの装着状態にかかわらず、係止ボール７によってボックスに保持されるようにしておくと、補助ボックスの着脱時に係止部材を落下させることがない。【選択図】  図１
2004345011.tif 000002
【特許請求の範囲】
【請求項１】
ハンドルの先端部分に切り替え可能な状態で一方向に回転させることができるボックスを備えたラチェットレンチにおいて、
上端部分をボックスの一端から挿入することができる補助ボックスと、ボックスの他端から挿入し、基端部がボックスの開口端に支持されるとともに先端部分を前記補助ボックスに係合させることができる係止部材を備え、該係止部材との係合によって補助ボックスをボックスに保持させ、なおかつ補助ボックスもしくは係止部材をボックスに係合させることによってボックスに対する補助ボックスの遊回動を防止したことを特徴とするラチェットレンチ。
【請求項２】
補助ボックスの上部に、ボックスに嵌合する多角形嵌合部を形成することによってボックスと補助ボックスの遊回動を防止し、該多角形嵌合部の中心位置に軸方向の係合孔を穿設するとともに、係止部材の先端を前記係合孔に挿入させ、係合孔内においてクリック係合させることによって補助ボックスをボックスに保持させを特徴とする請求項１記載のラチェットレンチ。
【請求項３】
ボックスは両端面から内方に向けてサイズの異なる嵌合部を有する二段ボックスとし、該二段ボックスの大径ボックスに補助ボックスの多角形嵌合部を、小径ボックスに係止部材をそれぞれ嵌合させ、小径ボックスに挿入される係止部材の基部を円筒状とするとともに、係止部材の円筒状部分に外方に向けて付勢される係止ボールを配置し、小径ボックスの内面に押圧されるクリック手段を設けたことを特徴とする請求項２記載のソケットレンチ。
【発明の詳細な説明】
【０００１】
【発明の属する技術分野】
この発明は、ハンドルの先端部分に設けたボックスを、切り替え可能な状態で一方向にのみ回転可能とし、ハンドルの往復回動操作によってボルトを締め付けるために利用するラチェットレンチ、特に異なるサイズのボルトの締め付けに対応することができるラチェットレンチに関する発明である。
【０００２】
【従来の技術】
従来のラチェットは、ハンドルの先端に設けられているボックスのサイズによって決定される一種類のボルトの締め付けを行うことができるものが広く用いられている。また、ハンドルの先端に設けるボックスに、両端面から内方に向けてサイズの異なる嵌合部を形成することによって二種類のサイズに対応することができるものや、特許文献１に示すように上記二種類のサイズに対応することができるボックスを、ハンドルの両端部分に設けることによって４種類のサイズのボルトの締め付けに利用することができるようにしたものも工夫されている。
【０００３】
【特許文献１】
実開平５−５３８６３号公報（図１参照）
【発明が解決しようとする課題】
【０００４】
従来の一種類もしくは二種類のサイズに対応することができるラチェットレンチでは、各種サイズのボルト締め付け作業を行うためには、複数のラチェットレンチを準備及び携行する必要があり、作業が面倒であるとともに経済的でなかった。また、特許文献１に開示されているものでは、四種類のボルトサイズに対応することができるが、それ以上の種類のボルトサイズには対応することができないとともに、二箇所にラチェット機構を備える必要があり、高価で重いものとなってしまう欠点があった。
【０００５】
上記、従来技術の欠点に鑑み、本発明は必要なサイズの補助ボックスを携行し、これを着脱することによって各種サイズのボルトの締め付けに対応することができるラチェットレンチを提供することを目的とするものである。また、補助ボックスの着脱が容易でサイズ変更を迅速に行うことができるとともに、確実な作動を実現することができる構造を提供することを目的とする発明である。
【０００６】
【課題を解決するための手段】
上記目的を達成するため、本発明はハンドル１の先端部分に切り替え可能な状態で一方向に回転させることができるボックス２を備えたラチェットレンチにおいて、着脱自在に補助ボックス３を装着する。すなわち、補助ボックス３の上端部分をボックス２の一端から挿入するとともに、基端部がボックス２の開口端に支持され、先端部分を前記補助ボックス３に係合させることができる係止部材４を装着する。また、補助ボックス３もしくは係止部材４をボックス２に係合させて補助ボックス３の遊回動を阻止する。これにより、任意サイズの補助ボックス３を装着して任意サイズのボルトの締め付け作業を行うことができる。
【０００７】
補助ボックス３の上部に多角形嵌合部５を形成し、これをボックス２に嵌合させることによってボックス２と補助ボックス３の遊回動を防止することができる。さらに、多角形嵌合部５の中心位置に軸方向の係合孔６を穿設するとともに、係止部材４先端の突出部４ｃを前記係合孔６に挿入させ、係合孔６内においてクリック係合させることによって、容易に着脱することができる状態で補助ボックス３をボックス２に保持させることができる。
【０００８】
ハンドル１の先端に設けるボックス２は、両端面から内方に向けてサイズの異なる嵌合部を有する二段ボックスとし、二段ボックスの大径ボックス２ａに補助ボックス３の多角形嵌合部５を、小径ボックス２ｂに係止部材４をそれぞれ嵌合させる。そして、小径ボックス２ｂに挿入される係止部材４の基部を円筒部４ｂとするとともに、係止部材４の円筒部４ｂに外方に向けて付勢される係止ボール７を配置し、小径ボックス２ｂの内面に押圧されるクリック手段を設けることによって係止部材４を単独でボックス２に保持させ、取り扱いに便利なものとすることができる。
【発明の実施の形態】
【０００９】
以下、本発明に係るラチェットレンチの実施形態を、添付の図面に基づいて説明する。
図１は、補助ボックスと係止部材を分離させて示すラチェットレンチ全体の斜視図、図２は補助ボックスと係止部材を除いたラチェットレンチの先端部分の平面図、図３はラチェットレンチ先端部分の縦断面図である。
【００１０】
ラチェットレンチは、ハンドル１の先端部分にボルト頭に嵌合させることができる筒状のボックス２を回動自在に装着し、切り替え可能な状態で一方向にのみ回転させることができるラチェット機構を備えている。ラチェットレンチにおけるラチェット機構は公知のものである。すなわち図４に示すように、ボックス２に形成した爪車８に係合する爪９，９を両端に備えた作動片１０を、軸１１で支持することによってシーソー運動をさせ、爪９，９のいずれか一方を爪車８に係合させることによって回転方向を切り替える。作動片１０は、別の位置に設けたボール１２をバネ１３の弾発力で押圧することによって、切り替えた位置を保持することができるようにしている。
【００１１】
上記、ラチェット機構の爪車８を備えた筒状のボックス２は、図３に示すように、下半部を大きなサイズのボルト頭に嵌合する大径ボックス２ａ、下半部を小さなサイズのボルト頭に嵌合する小径ボックス２ｂとしている。したがって、そのままの状態で二種類のサイズのボルト締め付け作業を行うことができる。しかしながら、一定の大きさであるボックス２以外のサイズのボルト締め付け作業を行う場合は、ボックス２に所望サイズのボルト頭に嵌合することができる大きさの補助ボックス３を装着して、締め付け作業を行う。そして、必要なサイズの補助ボックスを準備しておくことによって所望サイズのボルトの締め付け作業を行うことができるものである。
【００１２】
補助ボックス３をボックス２に装着するには、ボックス２の下方から大径ボックス２ａに補助ボックス３の多角形嵌合部５を挿入する。多角形嵌合部５は、大径ボックス２ａに嵌合させて締め付け作業を行うボルトのボルト頭と同じ形状とすることによって、補助ボックス３が遊回動することを防止できる。補助ボックス３の多角形嵌合部５には、その中心位置に角孔である係合孔６を軸方向に穿設してある。また、角孔である嵌合孔６の内面には、四方側壁にそれぞれ浅い窪みである係合部１４を形成している。
【００１３】
ボックス２の小径ボックス２ａには、係止部材４を装着する。係止部材４は、小径ボックス２ｂの開口端に支受される頭部４ａと、小径ボックス２ｂ内に挿入される円筒部４ｂで構成するとともに、円筒部４ｂの先端に角柱状の突出部４ｃを形成している。この突出部４ｃは、前記補助ボックス３の多角形嵌合部に穿設した係合孔６に嵌挿される大きさとしている。そして、角柱状の突出部４ｃの外側面には外方に付勢されるボール１５を配置している。さらに、図示実施形態では、円筒部４ｂの外側面にも外方に付勢される係止ボール７を設けている。
【００１４】
以上述べた、本発明の実施形態に係るラチェットレンチは、ボックス２部分を上下反転させることによって常用する二種類のサイズのボルト締め付け作業に使用することができる。そして、これ以外のサイズのボルト締め付けが必要な場合に、所望サイズの補助ボックス３を装着する。補助ボックス３を装着するには、図３に示すようにボックス２の大径ボックス２ａ部分に補助ボックス３の多角形嵌合部５を挿入するとともに、小径ボックス２ｂ側から係止部材４を挿入することによって簡単に装着することができる。また、取り外す場合にも、取り付けと逆の手順で簡単に行うことができる。
【００１５】
小径ボックス２ｂ側から係止部材４を挿入すると、角柱に形成した係止部材の突出部４ｃが、補助ボックス３に形成した角孔である係合孔６に挿入される。このとき、外方に付勢されるように配置しているボール１５が、係合孔６内面の側壁に当接し、挿入の抵抗として作用する。そこで、係止部材４を強制的に押庄することによって、ボール１５が押し込まれた状態で突出部４ｃが係合孔６内に進入し、所定位置において係合孔６の側壁に形成した係合部１４にボール１５が入り込み、ボール１５の外方への弾発力によって係合位置を維持し、図５に示す状態に装着される。すなわち、ボール１５の外方への弾発力に抗する程度の力によって係止部材４と補助ボックス３を挟み込む又は引っ張ることによって、補助ボックス３を自由に着脱することができることになる。
【００１６】
図示実施形態のラチェットレンチでは、係止部材４の円筒部４ｂの側面にも、外方に付勢される係止ボール７を設けている。この係止ボール７は、係止部材４をボックス２に挿入した際、小径ボックス２ｂの内の側面に押圧される。したがって、係止ボール７の押圧力によって、係止部材４は補助ボックス３との係合関係に係わらずボックス２内に保持される。これにより、補助ボックス３の着脱に際して、作業者は両手で作業する必要がなく、片手で着脱作業を行うことができる。すなわち、ボックス２の小径ボックス２ａに係止部材４を保持させた状態で補助ボックス３をボックス２の大径ボックス２ａに差し込み、その状態で片手の手指で係止部材と補助ボックスを挟み込むことによって、補助ボックスを装着することができる。
【００１７】
補助ボックス３を取り外す場合は、ボックス２に保持されている補助ボックス３のみを引っ張れば、補助ボックス３と係止部材４の係合が外れて補助ボックス３を取り外すことができる。このとき、係止部材４はボックス２の小径ボックス２ｂに保持されているため、係止部材４を不用意に落下させてしまうようなことがなく、取り扱いに便利で作業性に優れたものとなるものである。
【００１８】
以上説明した図示実施形態のラチェットレンチでは、ボックス２を二段ボックスとしているが、ボックス２は必ずしも二段である必要はなく、一段のボックスであってもよい。また、補助ボックス３と係止部材４の具体的な構造も、図示例のものに限定されるものではない。要は、補助ボックス３と係止部材４とが係合し補助ボックス３がボックス２に保持されることと、ボックス２に保持される補助ボックス３の遊回動を阻止することができるものであればよい。補助ボックス３の遊回動を阻止するには、補助ボックス３の一部がボックスに嵌合して遊回動を防止するほか、係止部材４がボックス２に対して遊回動しない状態に嵌合し、該係止部材４と補助ボックス３が遊回動しない状態に係合するものとしてもよい。
【００１９】
ボックス２に装着する補助ボックス３は、そのサイズ及び形状を、締め付け作業を行うための任意形状としておけばよく、ボックス形状以外の形状であってもよい。そして、作業者は一連の作業中に締め付け作業を行う可能性のある複数種類、サイズの補助ボックスを携行しておくことによって、一つのソケットレンチのみを携行し、適宜補助ボックスを取り替えることによって極めて能率的に作業を進めることができるものである。
【００２０】
【発明の効果】
請求項１記載の本発明ソケットレンチによれば、一つのソケットレンチと、これに装着する任意サイズの補助ボックスを携行し、適宜補助ボックスをソケットレンチのボックスに装着することによって、あらゆるサイズのボルトの締め付け作業に対し一つのソケットレンチで対応することができる。
【００２１】
請求項２記載の発明によれば、ソケットレンチのボックスと装着した補助ボックスとの遊回動を、簡単な構造によって確実に阻止することができるとともに、装着した係合状態を確実に維持し、かつ簡単に着脱することができる。
【００２２】
請求項３記載の発明によれば、補助ボックスとの係合状態の有無に係わらず係止部材を補助ボックスに保持させておくことができる。したがって、補助ボックスの着脱に際し、係止部材を落下させるようなことがなく、補助ボックスを容易に着脱することができる。したがって、作業を能率的に進めることが可能となる。
【図面の簡単な説明】
【図１】本発明の実施形態を示すものであって、補助ボックスと係止部材を分離させて示すラチェットレンチ全体の斜視図、
【図２】補助ボックスと係止部材を取り除いた、ラチェットレンチの先端部分のみの平面図、
【図３】補助ボックスと係止部材を分離させた状態の、ラチェットレンチ先端部分の縦断面図、
【図４】ラチェットレンチの先端部分のみの横断面図、
【図５】補助ボックスと係止部材を装着した状態のラチェットレンチ先端部分のみの縦断面図。
【符号の説明】
１…ハンドル、  ２…ボックス、  ２ａ…大径ボックス、  ２ｂ…小径ボックス、  ３…補助ボックス、  ４…係止部材、  ４ａ…頭部、  ４ｂ…円筒部、  ４ｃ…突出部、  ５…多角形嵌合部、  ６…係合孔、  ７…係止ボール、  ８…爪車、  ９…爪、  １０…作動片、  １１…軸、  １２，１５…ボール、  １３…バネ、  １４…係合部。
【図１】
2004345011.tif 000003
【図２】
2004345011.tif 000004
【図３】
2004345011.tif 000005
【図４】
2004345011.tif 000006
【図５】
2004345011.tif 000007